(57)【要約】      （修正有）【課題】モノクロ画像をカラー画像に変換する画像処理装置において、画像の再現品位を向上させることが可能な画像処理装置を提供する。【解決手段】画像データ取得処理を実行し、次に、領域判別処理を実行する（ステップＳ２）。次に、領域データ格納処理を実行する（ステップＳ３）。次に、グレー領域判別処理を実行する（ステップＳ４）。そして、グレー濃度算出処理を実行する（ステップＳ４＃）。次に、算出されたグレー濃度で構成される領域の濃度値および位置情報であるグレー領域データを格納する（ステップＳ５）。次に、濃度値に基づいて再現色と再現濃度とを決定する（ステップＳ６）。次に、グレー濃度で構成される位置情報に基づいて、文字領域内である場合に、再現濃度が所定値以下である場合には、再現濃度を補正する濃度補正処理を実行する（ステップＳ７）。次に、再現色データを格納する（ステップＳ８）。【選択図】図２
2010183511.tif 000002
【特許請求の範囲】
【請求項１】
モノクロ画像データにより形成されるモノクロ画像中の種々の領域を分類する領域判別手段と、
前記領域判別手段の分類結果に基づいて、グレー濃度領域を判別するグレー領域判別手段と、
前記グレー領域判別手段により判別されたグレー濃度領域の濃度値を算出する濃度算出手段と、
前記濃度算出手段の算出結果に応じて、前記モノクロ画像をカラー画像に変換するための再現色データを決定する決定手段と、
前記領域判別手段により分類された領域が所定領域である場合に、前記所定領域に対して前記決定手段により決定された再現色データに含まれる再現濃度値が所定値以下である場合には、前記決定手段により決定された前記再現色データを補正する補正手段と、
再現色データに基づいてモノクロ画像をカラー画像に変換する画像処理部とを備える、画像処理装置。
【請求項２】
前記領域判別手段は、分類された前記モノクロ画像中の文字領域について判別し、
前記補正手段は、前記領域判別手段により分類された領域が文字領域である場合に、文字領域内のグレー濃度領域について前記決定手段により決定された再現濃度値が所定値以下である場合には、再現濃度値を補正する、請求項１記載の画像処理装置。
【請求項３】
前記領域判別手段で分類された文字領域の文字サイズを判定する文字サイズ判定手段をさらに備え、
前記補正手段は、前記領域判別手段により分類された領域が文字領域である場合に、前記文字サイズ判定手段により判定された文字サイズに応じて、再現濃度値をさらに補正する、請求項２記載の画像処理装置。
【請求項４】
前記再現色は、前記モノクロ画像をカラー画像に変換するための複数の互いに異なるトナー色の組み合わせに基づく色に設定され、
前記文字サイズ判定手段により判定された文字サイズが基準となる文字サイズよりも小さい場合には、前記補正手段は、再現色について、前記複数のトナー色のうち２種類以下で、再現濃度値について、使用するトナー色のうちの少なくとも１種類の再現濃度値が基準となる文字サイズの再現濃度値よりも高くなるように補正する、請求項３記載の画像処理装置。
【発明の詳細な説明】
【技術分野】
【０００１】
本発明は、画像処理装置に関し、特にモノクロ画像をカラー画像に変換し出力することができる画像処理装置に関する。
【背景技術】
【０００２】
従来より、カラー複写機などにおいては、モノクロ画像のグレー濃度や印刷パターンに応じて、色付けを行ないカラー化する技術がある。
【０００３】
例えば、ある研修等において、プロジェクタ等によりカラー画像で表示された研修内容が資料として配布される場合、参加者にはモノクロ画像として印刷配布される場合が考えられる。しかしながら、印刷配布された資料がモノクロ画像である場合には、カラー画像で強調されていた領域は、グレー濃度となり、逆に見にくい資料となる可能性がある。
【０００４】
したがって、当該印刷配布されたモノクロ画像の資料を再びカラー画像に変換することが可能であれば、ユーザにとって利便性が高い。
【０００５】
たとえば、特開２００５−４５６１９号公報においては、原稿内の図形領域を判別し、その領域内にある所定の画像パターンを見つけて、その所定の画像パターンの面積が一定値以上であれば、画像パターンに応じて色付けを行なう方式が開示されている。
【先行技術文献】
【特許文献】
【０００６】
【特許文献１】特開２００５−４５６１９号公報
【発明の概要】
【発明が解決しようとする課題】
【０００７】
しかしながら、上記公報においては、例えば画像パターンの濃淡（グレー濃度）に応じて色付けを行なう方式が開示されているが、カラー再現するためのスクリーン処理のために再現濃度によっては、エッジの再現性が悪くなる可能性がある。
【０００８】
そのため、たとえば文字領域に対してカラー再現した場合に再現濃度が薄いと文字がボケてしまい、読みづらい表示となる可能性がある。
【０００９】
本発明は、上記のような問題を解決するためになされたものであって、モノクロ画像をカラー画像に変換する画像処理装置において、画像の再現品位を向上させることが可能な画像処理装置を提供することを目的とする。
【課題を解決するための手段】
【００１０】
本発明に係る画像処理装置は、モノクロ画像データにより形成されるモノクロ画像中の種々の領域を分類する領域判別手段と、領域判別手段の分類結果に基づいて、グレー濃度領域を判別するグレー領域判別手段と、グレー領域判別手段により判別されたグレー濃度領域の濃度値を算出する濃度算出手段と、濃度算出手段の算出結果に応じて、モノクロ画像をカラー画像に変換するための再現色データを決定する決定手段と、領域判別手段により分類された領域が所定領域である場合に、所定領域に対して決定手段により決定された再現色データに含まれる再現濃度値が所定値以下である場合には、決定手段により決定された再現色データを補正する補正手段と、再現色データに基づいてモノクロ画像をカラー画像に変換する画像処理部とを備える。
【００１１】
好ましくは、領域判別手段は、分類されたモノクロ画像中の文字領域について判別する。補正手段は、領域判別手段により分類された領域が文字領域である場合に、文字領域内のグレー濃度領域について決定手段により決定された再現濃度値が所定値以下である場合には、再現濃度値を補正する。
【００１２】
特に、領域判別手段で分類された文字領域の文字サイズを判定する文字サイズ判定手段をさらに備える。補正手段は、領域判別手段により分類された領域が文字領域である場合に、文字サイズ判定手段により判定された文字サイズに応じて、再現濃度値をさらに補正する。
【００１３】
特に、再現色は、モノクロ画像をカラー画像に変換するための複数の互いに異なるトナー色の組み合わせに基づく色に設定される。文字サイズ判定手段により判定された文字サイズが基準となる文字サイズよりも小さい場合には、補正手段は、再現色について、複数のトナー色のうち２種類以下で、再現濃度値について、使用するトナー色のうちの少なくとも１種類の再現濃度値が基準となる文字サイズの再現濃度値よりも高くなるように補正する。
【発明の効果】
【００１４】
本発明に従う画像処理装置において、所定領域に対して、決定された再現色データに含まれる再現濃度値が所定値以下である場合には、再現色データを補正する補正手段を設けることにより、所定領域に対する画像の再現品位を向上させることができる。
【図面の簡単な説明】
【００１５】
【図１】本発明の実施の形態１に従う画像処理装置であるＭＦＰ（Multi Function Peripheral）１の構成を説明する概略ブロック図である。
【図２】本発明の実施の形態１に従うカラー画像処理の流れを説明するフロー図である。
【図３】本発明の実施の形態１に従う再現色データのテーブルを説明する図である。
【図４】本発明の実施の形態１に従う原画像の具体例を説明する図である。
【図５】従来の方式に従う原画像のカラー画像データを説明する図である。
【図６】本発明の実施の形態１に従う原画像のカラー画像データを説明する図である。
【図７】本発明の実施の形態２に従うＭＦＰ１＃の構成を説明する概略ブロック図である。
【図８】本発明の実施の形態２に従うカラー画像処理の流れを説明するフロー図である。
【図９】本発明の実施の形態２に従う再現色データのテーブルを説明する図である。
【発明を実施するための形態】
【００１６】
以下、図面を参照しつつ本発明の実施の形態について説明する。以下の説明において同一の部品および構成要素には同一の符号を付してある。それらの名称および機能も同一であるものとする。
【００１７】
（実施の形態１）
図１を用いて本発明の実施の形態１に従う画像処理装置であるＭＦＰ（Multi Function Peripheral）１の構成について説明する。
【００１８】
図１を参照して、本発明の実施の形態１に従うＭＦＰ１は、画像読取部１５と、画像処理部２０と、画像形成部２５と、記憶部３０と、全体を制御する制御部１０と、各部を接続するための内部バス５とを含む。
【００１９】
画像読取部１５は、図示しないが載荷台にセットされた原稿を図示しないスキャナにより読取って画像データを取得する。本例においては、原稿はモノクロ画像であるものとする。
【００２０】
画像処理部２０は、入力された画像データに対して補正、加工、編集等を実行するとともに、後述するモノクロ画像データをカラー画像データに変換する処理を実行する。
【００２１】
画像形成部２５は、指示に従って画像データを紙媒体等に印刷処理する。
記憶部３０は、ＭＦＰ１における所定の機能を実現するためのプログラム等が格納されたＲＯＭ（Read Only Memory）と、制御部１０等のワークエリアとして利用されるＲＡＭ（Random Access Memory）と、ＭＦＰ１を利用するユーザ名等の各種データ等を格納するＨＤＤ（Hard Disk Drive）とを含む。
【００２２】
制御部１０は、代表的にはＣＰＵ（Central Processing Unit）であり、内部バス５を介して各部全体を制御するとともに、領域判別部１２と、グレー領域判別部１４と、グレー濃度算出部１３と、仮色決定部１６と、色補正部１８とを含む。なお、各部の機能は、記憶部３０のＲＯＭに格納された所定のプログラムを読み込むことにより実現されるものとする。
【００２３】
領域判別部１２は、入力した画像データに対して領域判別処理を実行する。
グレー領域判別部１４は、領域判別部１２で判別された領域に対して、グレー領域判別処理を実行する。
【００２４】
グレー濃度算出部１３は、グレー領域判別処理により判別されたグレー領域のグレー濃度値等を算出する。
【００２５】
仮色決定部１６は、グレー領域判別部１４で算出された濃度値に応じた再現色と再現濃度とを決定する。
【００２６】
色補正部１８は、領域判別部１２で判別された文字領域について、仮色決定部１６で決定された再現濃度が所定値以下である場合には、再現濃度を補正する。
【００２７】
画像処理部２０は、記憶部３０に記憶されたモノクロ画像データに対して、領域判別部１２の判別結果および再現色と再現濃度とからなる再現色情報に基づいてカラー画像データに変換する。
【００２８】
図２を用いて本発明の実施の形態１に従うカラー画像処理の流れを説明する。
図２を参照して、まず、画像データ取得処理を実行する（ステップＳ１）。
【００２９】
具体的には、図１における画像読取部１５において、載荷台にセットされた原稿を読取って画像データを取得する。本例においては、原稿はモノクロ画像であり、モノクロ画像データを取得するものとする。
【００３０】
次に、領域判別処理を実行する（ステップＳ２）。具体的には、制御部１０の領域判別部１２において、モノクロ画像データから明度画像を生成して、二値化処理することによりモノクロ画像データ中に含まれる文字領域、図形領域、その他の領域を判別する。なお、制御部１０の領域判別部１２は、記憶部３０のＲＯＭに記憶されている公知の領域判別のための所定のプログラムを読み込むことにより当該機能を実現するものとする。
【００３１】
そして、次に、領域データ格納処理を実行する（ステップＳ３）。具体的には、領域判別部１２は、判別した領域毎に領域の種類および位置情報を領域データとして記憶部３０のＨＤＤに格納する。本例においては、一例として、判別される文字領域のサイズとしては、単語１つ程度の大きさで判別されるものとする。
【００３２】
次に、グレー領域判別処理を実行する（ステップＳ４）。
具体的には、制御部１０のグレー領域判別部１４において、記憶部３０のＨＤＤに格納された領域判別部１２の領域判別処理により判別された領域データに基づいて文字領域および図形領域について、その領域内においてグレー濃度で構成される文字領域および図形領域を抽出する。具体的には、文字領域および図形領域において、画像読取部１５で読取られた領域内の画素のＲＧＢ値を読取り、後述する濃度範囲６（９０〜）を除外したグレー濃度の画像を生成する。
【００３３】
グレー濃度算出処理を実行する（ステップＳ４＃）。
具体的には、制御部１０のグレー濃度算出部１３において、グレー濃度の画像からグレー濃度で構成される領域の濃度値およびそのグレー濃度で構成される領域の位置情報を算出する。なお、制御部１０のグレー領域判別部１４およびグレー濃度算出部１３は、記憶部３０のＲＯＭに記憶されている所定のプログラムを読み込むことにより当該機能を実現するものとする。
【００３４】
次に、制御部１０のグレー濃度算出部１３は、算出されたグレー濃度で構成される領域の濃度値および位置情報であるグレー領域データを記憶部３０のＨＤＤに格納する（ステップＳ５）。なお、当該処理は、全てのグレー濃度で構成される文字領域および図形領域に対して実行されるものとする。当該処理により、カラー化する領域およびカラー化する際のパラメータを取得することができる。
【００３５】
次に、再現色と再現濃度とを決定する（ステップＳ６）。
具体的には、制御部１０の仮色決定部１６は、記憶部３０のＨＤＤに格納されたグレー領域データである濃度値に基づいて、再現色と再現濃度とを決定する。この点については後述する。
【００３６】
なお、制御部１０の仮色決定部１６は、記憶部３０のＲＯＭに記憶されている所定のプログラムを読み込むことにより当該機能を実現するものとする。
【００３７】
次に、濃度補正処理を実行する（ステップＳ７）。具体的には、制御部１０の色補正部１８は、グレー濃度で構成される位置情報に基づいて、当該領域が文字領域内である場合に、仮色決定部１６で決定された再現濃度が所定値以下である場合には、再現濃度を補正する処理を実行する。なお、制御部１０の色補正部１８は、記憶部３０のＲＯＭに記憶されている所定のプログラムを読み込むことにより当該機能を実現するものとする。
【００３８】
そして、次に、再現色データを格納する（ステップＳ８）。具体的には、制御部１０の色補正部１８は、補正した再現濃度および再現色を再現色データとして、グレー領域データと対応付けて記憶部３０のＨＤＤに格納する。
【００３９】
次に、カラー化処理を実行する（ステップＳ９）。具体的には、画像処理部２０は、記憶部３０のＨＤＤに格納されている再現色データに基づいて、グレー濃度で構成される文字領域および図形領域についてモノクロ画像データをカラー画像データに変換するカラー化処理を実行する。
【００４０】
図３を用いて本発明の実施の形態１に従う再現色データを説明する。
図３（ａ）は、図形領域における再現色データを説明する図である。
【００４１】
仮色決定部１６は、一例として記憶部３０のＨＤＤに格納されている図３（ａ）に示される再現色データを設定する基本テーブルに基づいて再現色データを決定するものとする。
【００４２】
ここで、濃度範囲１〜６に濃度値が分類されている場合が示されている。
具体的には、濃度範囲１（０〜１９）と、濃度範囲２（２０〜３９）と、濃度範囲３（４０〜５９）と、濃度範囲４（６０〜７９）と、濃度範囲５（８０〜８９）と、濃度範囲６（９０〜）とに分類されている場合が示されている。濃度値として「０〜１００」として表現されるものとする。濃度値「０」である白から、濃度値が高くなるほど、黒くなるものとする。濃度値「１００」は完全な黒であるものとする。なお、濃度範囲６（９０〜）は、グレー濃度でない領域を指し示すものとする。
【００４３】
ここで、記号「Ｙ」がイエロー、「Ｍ」はマゼンタ、「Ｃ」はシアン、「Ｋ」はブラックのトナーを表すものとする。すなわち、４色のトナー色を指し示すものとする。これらのトナー色を組み合わせることによりカラー画像が形成されるものである。
【００４４】
本例においては、図３（ａ）において、濃度範囲１〜６まで昇順的に再現色が濃くなるパターンで再現濃度が設定されているものとする。具体的には、濃度範囲１の場合には、「Ｍ」が「２０」、濃度範囲２の場合には、「Ｍ」が「４０」、・・・、濃度範囲５の場合には、「Ｍ」が「２０」であり「Ｃ」が「４０」である場合が示されている。
【００４５】
仮色決定部１６は、当該テーブルを用いてグレー領域データである濃度値に基づいて、再現色と再現濃度とを決定する。例えば、濃度値が「１９」である場合には、濃度範囲１であるためトナー色として「Ｍ」が設定され、再現濃度は「２０」に設定される。他の場合についても同様の方式により再現色と再現濃度とが決定される。
【００４６】
図３（ｂ）は、文字領域における再現色データを説明する図である。
文字領域においても、図形領域と同様に、記憶部３０のＨＤＤに格納された当該基本テーブルに基づいて再現色と再現濃度とが決定されるが、濃度範囲１の場合には、「Ｍ」が「２０」として再現濃度が設定される。しかしながら、本実施の形態１に従う方式により文字領域において、再現濃度の値が小さい場合（所定値未満）には、再現濃度を補正する。本例においては、濃度範囲１の場合に、「Ｍ」が「４０」に再現濃度が補正されている場合が示されている。その他の部分については、図形領域と同様である。
【００４７】
また、図３（ｃ）においては、その他、写真領域の再現色データが示されているが、濃度値に基づいた再現色と再現濃度とは決定されずに、元の画像濃度値に対応してトナー色が「Ｋ」の再現濃度が決定される。すなわち、本例においては、写真領域に対しては、カラー化処理は実行されない。
【００４８】
図４を用いて本発明の実施の形態１に従う原画像の具体例を説明する。
図４を参照して、ここで、原画像の文字領域内に、濃度範囲１の「タイトル１（濃度１）」と、「見出し１（濃度１）」とがそれぞれ表示されている場合が示されている。
【００４９】
また、原画像の文字領域内に濃度範囲３の「重要１（濃度３）」と、「重要２（濃度３）」と、「重要４（濃度３）」とがそれぞれ表示されている場合が示されている。
【００５０】
また、原画像の文字領域内に濃度範囲５の「見出し２（濃度５）」と、「重要５（濃度５）」とがそれぞれ表示されている場合が示されている。その他の（濃度）が記載されていない文字領域は、濃度範囲６（９０〜）であるものとする。すなわち、グレー濃度で構成される領域ではないと判別された領域である。
【００５１】
図５を用いて従来の方式に従う原画像のカラー画像データについて説明する。
図５を参照して、原画像のモノクロ画像データに対して、グレー濃度に応じて色付けが実行されるが、グレー濃度が小さい場合、即ち、色が薄い場合には、カラー再現するためのスクリーン処理のために再現濃度の値が小さいため、右側の拡大図に示されるように、エッジの再現性が悪くなる。ここでは、直線ががたつく場合が示されている。そのため、上述したように、文字領域に対してカラー再現した場合に再現濃度が薄いと文字がボケてしまい、読みづらい表示となる。
【００５２】
図６を用いて本発明の実施の形態１に従う原画像のカラー画像データを説明する。
図６を参照して、原画像のモノクロ画像データがカラー画像データに変換されるが、上記で説明した方式に従って、再現濃度の値が所定値未満である場合には、再現濃度を補正する。これにより、右側の拡大図に示されるように、直線のがたつきが防止される。すなわち、エッジの再現性を向上させて、全体として画像の再現品位を向上させることが可能である。
【００５３】
本実施の形態１においては、文字領域について、一例としてグレー濃度に基づく再現濃度の値が小さい場合（濃度範囲１の場合）に、再現濃度を補正する場合について説明したが、特に、これに限られず、再現色を変更するようにしてもよいし、再現濃度と再現色を組み合わせて変更するようにすることも可能である。また、濃度範囲１に限られず、濃度範囲２等についても再現濃度を補正するようにすることも可能である。
【００５４】
なお、当該補正に関して、本例においては、一例として文字領域に対して適用する場合について説明したが、文字領域に限られず、別の領域に適用するようにすることも可能である。
【００５５】
（実施の形態２）
図７を用いて本発明の実施の形態２に従うＭＦＰ１＃の構成について説明する。
【００５６】
図７を参照して、本発明の実施の形態２に従うＭＦＰ１＃は、図１のＭＦＰ１と比較して、制御部１０を制御部１０＃に置換した点が異なる。その他の点については、図１で説明したのと同様であるのでその詳細な説明は繰り返さない。
【００５７】
制御部１０＃は、制御部１０と比較して、文字サイズ検出部１７をさらに設けた点で異なる。
【００５８】
文字サイズ検出部１７は、グレー領域判別部１４で判別された文字領域の位置情報を読取り、その領域の画像に対して縦方向および横方向の濃度ヒストグラムを作成する。そして、縦方向および横方向の濃度ヒストグラムの分布から文字サイズを算出する。なお、制御部１０＃の文字サイズ検出部１７は、記憶部３０のＲＯＭに記憶されている所定のプログラムを読み込むことにより当該機能を実現するものとする。
【００５９】
また、本実施の形態２に従う色補正部１８は、領域判別部１２で判別された文字領域について、仮色決定部１６で決定された再現濃度が所定値以下である場合には、再現濃度を補正するとともに、文字サイズ検出部１７で算出された文字サイズに応じて、再現濃度をさらに補正する。
【００６０】
図８を用いて本発明の実施の形態２に従うカラー画像処理の流れについて説明する。
図８を参照して、本発明の実施の形態１に従うカラー画像処理と比較して、ステップＳ１０，Ｓ１１をさらに追加した点で異なる。
【００６１】
具体的には、ステップＳ５において、グレー領域データを格納した後、次に、文字サイズ検出処理を実行する（ステップＳ１０）。制御部１０＃の文字サイズ検出部１７は、グレー領域データに基づいて、グレー領域判別部１４で判別された文字領域の位置情報を読み取り、文字サイズを算出する。具体的には、濃度ヒストグラムを作成して、濃度ヒストグラムの分布から文字サイズを算出する。なお、本例においては、濃度ヒストグラムを作成して、文字サイズを算出する方式について説明したが、特に限られずその他の方式を採用することも可能である。
【００６２】
そして、次に、算出された文字サイズデータを格納する（ステップＳ１１）。具体的には、文字サイズ検出部１７は、記憶部３０のＨＤＤにグレー領域データと対応付けて文字サイズデータを格納するものとする。
【００６３】
そして、次に、再現色と再現濃度とを決定する（ステップＳ６）。
具体的には、制御部１０の仮色決定部１６は、記憶部３０のＨＤＤに格納されたグレー領域データである濃度値に基づいて、再現色と再現濃度とを決定する。
【００６４】
次に、濃度補正処理を実行する（ステップＳ７）。具体的には、制御部１０の色補正部１８は、グレー濃度で構成される位置情報に基づいて、当該領域が文字領域である場合に、仮色決定部１６で決定された再現濃度が所定値以下である場合には、再現濃度を補正する処理を実行する。
【００６５】
そして、さらに、色補正部１８は、グレー領域データと対応づけられてＨＤＤに格納されている文字サイズ検出処理により算出された文字サイズデータに応じて再現濃度をさらに補正する処理を実行する。なお、制御部１０の色補正部１８は、記憶部３０のＲＯＭに記憶されている所定のプログラムを読み込むことにより当該機能を実現するものとする。
【００６６】
そして、次に、再現色データを格納する（ステップＳ８）。具体的には、制御部１０の色補正部１８は、補正した再現濃度および再現色を再現色データとして、グレー領域データと対応付けて記憶部３０のＨＤＤに格納する。
【００６７】
次に、カラー化処理を実行する（ステップＳ９）。具体的には、画像処理部２０は、記憶部３０に格納されている再現色データに基づいて、モノクロ画像データをカラー画像データに変換するカラー化処理を実行する。
【００６８】
図９を用いて本発明の実施の形態２に従う再現色データについて説明する。
図９（ａ）は、図形領域における再現色データを説明する図である。
【００６９】
図９（ｃ）は、その他、写真領域の再現色データを説明する図である。
図９（ａ）および（ｃ）は、図３（ａ）および（ｃ）で説明した内容と同様であるのでその詳細な説明は繰り返さない。
【００７０】
図９（ｂ）は、文字領域における再現色データを説明する図である。
文字領域においても、図形領域と同様に、記憶部３０のＨＤＤに格納された当該基本テーブルに基づいて再現色と再現濃度とが決定される。ここで、文字サイズが「サイズ大」、「サイズ中」、「サイズ小」、「サイズ極小」の４段階に分けられており、「サイズ大」が図３（ｂ）も文字領域について説明したのと同様である。すなわち、濃度範囲１の場合には、「Ｍ」が「２０」として再現濃度が設定される。しかしながら、本実施の形態１に従う方式により文字領域において、再現濃度の値が小さい場合（所定値未満）には、再現濃度を補正する。本例においては、濃度範囲１の場合に、「Ｍ」が「４０」に再現濃度が補正されている場合が示されている。
【００７１】
また、ここで示されているように、サイズが小さくなればなるほど、さらに再現濃度の値が高くなるように再現濃度を補正する。
【００７２】
具体的には、文字サイズが「サイズ大」を基準として、トナー色が「Ｍ」であるマゼンタについて、「サイズ大」の場合「４０」、「サイズ中」の場合「４５」、「サイズ小」の場合「５０」、「サイズ極小」の場合「５５」に補正する場合が示されている。
【００７３】
一般的に、サイズが小さくなればなるほど、カラー再現するためのスクリーン処理のためにエッジの再現性が悪くなる。したがって、再現濃度が薄いと文字がボケてしまい、読みづらい表示となる。
【００７４】
それゆえ、本実施の形態２に従う方式においては、文字サイズを判定し、文字サイズに応じて、さらに、再現濃度を補正することにより、エッジの再現性を向上させて、全体として画像の再現品位を向上させることが可能である。
【００７５】
また、再現濃度について、使用するトナー色の種類を２種類以下とするとともに、かつ、使用するトナー色のうち少なくとも１種類の再現濃度が高くなるように設定する。すなわち、４色のトナー色である「Ｙ」、「Ｍ」、「Ｃ」、「Ｋ」のうち３色以上を用いて、カラー画像の再現を実行するのではなく、１種類あるいは２種類のトナー色を用いてカラー画像を再現化することにより、スクリーン処理によるトナー色のずれに基づくエッジのがたつきをさらに少なくして再現品位をより向上させることができる。
【００７６】
なお、上記においては、制御部１０内において、領域判別部１２等の機能を実行する場合について説明したが、画像処理部２０内で実行されるようにすることも可能であるし、制御部１０外において、当該機能を実行する部位を設けるようにすることも可能である。
【００７７】
なお、ＭＦＰ１を制御する各部について、コンピュータを機能させて、上述のフローで説明したような制御を実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００７８】
なお、プログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００７９】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００８０】
提供されるプログラム製品は、ハードディスクなどのプログラム格納部にインストールされて実行される。なお、プログラム製品は、プログラム自体と、プログラムが記録された記録媒体とを含む。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８２】
１  ＭＦＰ、５  内部バス、１０  制御部、１２  領域判別部、１３  グレー濃度算出部、１４  グレー領域判別部、１５  画像読取部、１６  仮色決定部、１７  文字サイズ検出部、１８  色補正部、２０  画像処理部、２５  画像形成部、３０  記憶部。
【図１】
2010183511.tif 000003
【図２】
2010183511.tif 000004
【図３】
2010183511.tif 000005
【図７】
2010183511.tif 000006
【図８】
2010183511.tif 000007
【図９】
2010183511.tif 000008
【図４】
2010183511.tif 000009
【図５】
2010183511.tif 000010
【図６】
2010183511.tif 000011